(57)【要約】      （修正有）【課題】かご内照明に球切れが発生したとしても、かご内の照度の低下を極力抑え、利用客に迷惑をかけないようにするとともに、利用者から管理人や保守会社への頻繁な通報を防止するかご内照明制御装置を提供する。【解決手段】エレベータのかご１内に明るさを調節可能な調光手段３ａ，３ｂを備えた照明灯２ａ，２ｂを複数組設置するとともに、照明灯の異常を検出する手段７と、照明灯の異常を検出すると、調光手段により他の正常な照明灯を通常より明るくする制御手段とを備えた。【選択図】図１
2007308255.tif 000002
【特許請求の範囲】
【請求項１】
明るさを調節可能な調光手段を備えた照明灯をかご内に複数組設置したエレベータにおいて、
前記照明灯の異常を検出する手段と、前記照明灯の何れかに異常を検出すると前記調光手段により残りの正常な前記照明灯を通常より明るくする制御手段とを備えたことを特徴とするエレベータのかご内照明制御装置。
【請求項２】
前記照明灯の異常を検出する手段を電流センサで構成したことを特徴とする請求項１に記載のエレベータのかご内照明制御装置。
【請求項３】
前記照明灯の異常を検出する手段を光センサで構成したことを特徴とする請求項１に記載のエレベータのかご内照明制御装置。
【請求項４】
前記照明灯の異常を検出すると、監視センタに通報する通報手段を備えたことを特徴とする請求項１乃至請求項３の何れかに記載のエレベータのかご内照明制御装置。
【発明の詳細な説明】
【技術分野】
【０００１】
本発明は、エレベータのかご内照明制御装置に関し、特に照明灯の球切れ発生時の改良に関するものである。
【背景技術】
【０００２】
従来から、エレベータの照明装置を監視し、球切れを検出すると監視センタに通報し、早期に対応を図ることができるようにしたものがある。
【特許文献１】特開２００２−３０８５４５号公報
【発明の開示】
【発明が解決しようとする課題】
【０００３】
照明灯の球切れを検出し、直ちに監視センタに通報することで照明灯の交換を早期に行うことができるが、保守員が到着し照明灯を交換するまでの間は利用者に不安感や不快感を与えることになる。
【０００４】
また、この間にエレベータを利用した者は、照明が暗いと球切れにすぐに気付くことになるが、球切れを既に管理人や監視センタに連絡済であるかどうかは後から来た利用者には分らないため、照明灯が交換されるまでの間、管理人や保守会社に各利用者からそれぞれ通報がなされることになり、その度に管理人や保守会社の担当者が対応せざるを得ないといった問題がある。
【０００５】
また、遠隔監視装置を備えていないエレベータでは、利用者や管理人等から保守会社に連絡があるまで或いは定期点検のときまで照明灯の交換が行われないことになり、この状態が長期間続くと、利用者に不安感や不審感を与え続けることになるだけでなく、敷居につまずいたりして思わぬ事故につながる恐れもある。
【０００６】
本発明は、上記の点に鑑みなされたもので、かご内の照明灯に球切れが発生したとしても、かご内の照度の低下を極力抑え、利用客に不安感を与えたり迷惑ををかけないようにするとともに、利用者から管理人や保守会社への頻繁な通報の発生を防止することを目的としたものである。
【課題を解決するための手段】
【０００７】
本発明に係るエレベータのかご内照明制御装置は、明るさを調節可能な調光手段を備えた照明灯をかご内に複数組設置するとともに、前記照明灯の何れかに異常を検出すると前記調光手段により残りの正常な前記照明灯を通常より明るくする制御手段とを備えたものである。
【発明の効果】
【０００８】
本発明によれば、かご内の照明灯に球切れが発生したとしてもかご内の照度の低下を防止することができ、エレベータの利用者にとって何ら不安や不便が生じないだけでなく、利用者が球切れに気付かない可能性が高くなるので、不要な通報も防止することができる。このため、照明灯の交換は直ちに行わなくても定期点検のときに交換が可能となり、保守作業の効率化を図ることが出来る。
【０００９】
また、遠隔監視装置を備えていないエレベータであっても、かご内の照度の低下を防止することにより、利用者は定期点検時に照明灯が交換されるまでの間も何ら支障なく、通常と同様にエレベータを利用することができる。
【発明を実施するための最良の形態】
【００１０】
以下、本発明の一実施形態を図面に基づいて説明する。図１は本発明の一実施形態であるエレベータのかご内照明制御装置の全体構成図、図２は図１の照明制御回路の動作を示すフローチャートである。
【００１１】
図１において、１はエレベータのかご、２ａ，２ｂはかご内の照明灯、３ａはマイコン４ａによりインバータ回路５ａを制御し照明灯２ａの調光を行う調光装置，同じく３ｂはマイコン４ｂとインバータ５ｂとからなり照明灯２ｂの調光を行う調光装置、６ａ，６ｂは電流センサ、７は照明灯２ａ，２ｂの球切れを検出する球切れ検出装置、８は調光装置３ａ及び３ｂを介して照明灯２ａ，２ｂの明るさを制御する照明制御回路、９はエレベータ制御装置、１０は監視センタである。
【００１２】
図２は照明制御回路８の動作を説明するフローチャートである。以下、図１の構成と図２のフローチャートに基づいて、照明制御回路８の動作を説明する。
【００１３】
照明制御回路８は、エレベータ制御回路９からの運転情報により、エレベータの運転状態やかご内の乗客の有無等に応じて調光装置３ａ，３ｂへ点灯制御信号を出力し（ステップＳ１）、調光装置３ａ，３ｂは、この点灯制御信号に応じてかご内照明灯２ａ，２ｂの調光制御を行う。このとき、かご内の照明は、かご内に乗客が不在のときには消灯したり、或いは照度を５０％以下にするなどして省エネを図るが、乗客がかご内に存在する場合でも省エネや照明灯の寿命を考慮して例えば照度を定格の７０％〜８０％の状態に保つようにする。
【００１４】
６ａ，６ｂは電流センサであり、球切れ検出装置７で照明制御回路からの照明制御情報と電流センサで検出した電流状態を比較し、照明灯の球切れやその他の異常を検出する。例えば今、点灯指令が出力されているにも拘わらず電流センサ６ａの電流が検出されないなどにより照明灯２ａの球切れが検出されたとすると（ステップＳ２）、エレベータ制御装置９を介して監視センタ９へ球切れの発生を通報する（ステップＳ３）。連絡を受けた監視センタ１０では、この情報により出来る限り早く保守員を現場に派遣し、球切れの交換を行うことが可能となる。
【００１５】
一方、照明灯２ａに球切れ等の異常が検出されると、他方の正常な照明灯の照度を大きくするために照明制御回路８から調光装置３ｂに照度ＵＰの信号が出力され（ステップＳ４）、これにより照明灯２ｂの照度が通常より大きく、例えば７０％の状態から１００％へと照度ＵＰされる。この状態は照明灯の交換が行われ、正常な状態に復旧するまで継続される（ステップＳ５，Ｓ４）ので、この結果、仮に保守員の到着が遅れたとしてもエレベータの利用客は通常時と何ら変わりなくエレベータを支障なく利用することができ、利用客からの不要な通報も少なくなることが期待できる。
【００１６】
上記の実施形態では、照明灯の球切れを電流センサを用いて検出するようにしているが、照度センサを各照明灯の近辺に設置することで検出するようにしてもよい。また、上記の実施形態では、かご内照明灯が２組の場合について説明したが、３組以上設置する場合でも同様である。
【００１７】
また、上記の実施形態では、エレベータが監視センタに接続されている場合について説明したが、監視センタに接続されていない場合でも、球切れにより低下した照度を他の正常な照明灯の照度を大きくすることでかご内の照度を維持できるので、照明灯の交換時期が遅くなることはあっても、利用客にとって何ら支障なくエレベータを利用できることには変わりなく、同様の効果を発揮することができる。
【００１８】
その他、本発明は上記の実施形態に限定されるものではなく、本発明の要旨を逸脱しない範囲で、種々の改変を施すことができる。
【図面の簡単な説明】
【００１９】
【図１】本発明の一実施形態であるエレベータのかご内照明制御装置の構成を示すブロック図である。
【図２】図１の照明制御回路の動作を説明するフローチャートである。
【符号の説明】
【００２０】
１  かご
２ａ，２ｂ  照明灯
３ａ，３ｂ  調光装置
６ａ，６ｂ  電流センサ
７  球切れ検出装置
８  照明制御回路
９  エレベータ制御装置
１０  監視センタ
【図１】
2007308255.tif 000003
【図２】
2007308255.tif 000004